(57)【要約】【課題】制限受信機能と複製防止機能とを備える装置を提供する。【解決手段】入力インターフェース、複数個の復号化装置、暗号化装置、秘密キー処理装置、ＰＶＲ書き込みインターフェース及び保存装置を備える制限受信機能と複製防止機能とを備える装置。入力インターフェースは、デジタルＴＶ伝送標準によって伝送されたパケットを受信し、パケットのＩＤに基づいてイネーブル信号を発生させる。複数個の復号化装置のうち一つの装置のみが、イネーブル信号に応答してイネーブルされ、イネーブルされた復号化装置は、秘密キー処理装置に保存された秘密キーを利用して入力されるパケットを復号化する。復号化されたパケットを保存装置に保存しようとする場合、暗号化装置は、秘密キー処理装置に保存された秘密キーを利用して復号化されたパケットを暗号化し、暗号化されたパケットを保存装置に保存し、保存装置に保存されたパケットは、複数個の復号化装置のうちいずれか一つの復号化装置を介して復号化される。【選択図】図１
2005244992.tif 000002
【特許請求の範囲】
【請求項１】
制限受信機能と複製防止機能とを備える装置において、
それぞれは相異なる復号化方法を行う複数個の復号化装置と、
デジタルＴＶ伝送標準によって伝送されたパケットを受信し、前記受信されたパケットのＩＤに基づいてイネーブル信号を発生させ、前記パケットのＩＤと前記イネーブル信号とを前記複数個の復号化装置のうち対応する復号化装置に出力する入力インターフェースと、
前記イネーブル信号に応答してイネーブルされた復号化装置から出力された前記パケットのＩＤに応答して、前記パケットのＩＤに相応する秘密キーを前記イネーブルされた復号化装置へ伝送する秘密キー処理装置と、を備え、
前記イネーブルされた復号化装置は、前記秘密キーに基づいて前記入力インターフェースを介して入力された前記パケットを復号化し、復号化されたパケットを出力することを特徴とする制限受信機能と複製防止機能とを備える装置。
【請求項２】
前記秘密キー処理装置は、
複数個の秘密キーを保存するメモリと、
前記受信されたパケットのＩＤに基づいてインデックスを発生させるインデックス発生回路と、
前記インデックスを受信し、前記インデックスに基づいて前記メモリから検索された前記秘密キーを前記イネーブルされた復号化装置へ伝送するインターフェースと、を備えることを特徴とする請求項１に記載の制限受信機能と複製防止機能とを備える装置。
【請求項３】
前記入力インターフェースは、前記デジタルＴＶ伝送標準によって伝送されたパケットを所定の単位で保存するためのバッファをさらに備えることを特徴とする請求項１に記載の制限受信機能と複製防止機能とを備える装置。
【請求項４】
前記制限受信機能と複製防止機能とを備える装置は、
前記復号化されたパケットを受信し、前記復号化されたパケットのＩＤを検出し、録画信号に応答して前記検出されたパケットのＩＤに相応する復号化されたパケットを伝送する書き込みインターフェースと、
前記書き込みインターフェースから出力される復号化されたパケットを受信し、受信されたパケットのＩＤに相応する秘密キーを前記秘密キー処理装置から受信し、前記秘密キーに基づいて前記受信された復号化されたパケットを暗号化し、暗号化されたパケットを前記書き込みインターフェースへ伝送する暗号化装置と、
前記書き込みインターフェースを介して入力される前記暗号化されたパケットを受信して保存する保存装置と、をさらに備えることを特徴とする請求項１に記載の制限受信機能と複製防止機能とを備える装置。
【請求項５】
前記複数個の復号化装置は、ＤＥＳによる復号化装置、ＴＤＥＳによる復号化装置、ＣＳＡによる復号化装置、及びＡＥＳによる復号化装置のうち少なくとも一つの復号化装置を含むことを特徴とする請求項１に記載の制限受信機能と複製防止機能とを備える装置。
【請求項６】
前記複数個の復号化装置のうちいずれか一つの復号化装置は、前記暗号化装置によって暗号化されたパケットを復号化するための装置であることを特徴とする請求項４に記載の制限受信機能と複製防止機能とを備える装置。
【請求項７】
前記暗号化装置は、前記イネーブルされた復号化装置によって復号化されたパケットを、ＤＥＳによって暗号化するための装置であることを特徴とする請求項４に記載の制限受信機能と複製防止機能とを備える装置。
【請求項８】
前記暗号化装置は、前記イネーブルされた復号化装置によって復号化されたパケットを、ＴＤＥＳによって暗号化するための装置であることを特徴とする請求項４に記載の制限受信機能と複製防止機能とを備える装置。
【請求項９】
前記暗号化装置は、前記イネーブルされた復号化装置によって復号化されたパケットを、ＣＳＡによって暗号化するための装置であることを特徴とする請求項４に記載の制限受信機能と複製防止機能とを備える装置。
【請求項１０】
前記暗号化装置は、前記イネーブルされた復号化装置によって復号化されたパケットを、ＡＥＳによって暗号化するための装置であることを特徴とする請求項４に記載の制限受信機能と複製防止機能とを備える装置。
【請求項１１】
前記暗号化装置は、前記複数個の復号化装置のうちいずれか一つの復号化装置によって復号化されずに、バイパスされたパケットを受信して暗号化するための装置であることを特徴とする請求項４に記載の制限受信機能と複製防止機能とを備える装置。
【請求項１２】
前記暗号化装置は、前記バイパスされたパケットのＩＤに相応する秘密キーを前記秘密キー処理装置から受信し、受信された秘密キーに基づいて、前記バイパスされたパケットを受信して暗号化するための装置であることを特徴とする請求項１１に記載の制限受信機能と複製防止機能とを備える装置。
【請求項１３】
前記暗号化装置は、前記複数個の復号化装置のうちいずれか一つの復号化装置によって復号化されずに、バイパスされたパケットをＡＥＳ、ＤＥＳ、ＴＤＥＳ、ＣＳＡのうちいずれか一つによって暗号化するための装置であることを特徴とする請求項４に記載の制限受信機能と複製防止機能とを備える装置。
【請求項１４】
前記いずれか一つによって暗号化するための装置は、前記バイパスされたパケットのＩＤに相応する秘密キーを前記秘密キー処理装置から受信し、受信された秘密キーに基づいて、前記バイパスされたパケットを受信して暗号化するための装置であることを特徴とする請求項１３に記載の制限受信機能と複製防止機能とを備える装置。
【請求項１５】
制限受信機能と複製防止機能とを備える装置において、
復号化装置と、
デジタルＴＶ伝送標準によって伝送されたパケットを受信し、前記受信されたパケットのＩＤを前記復号化装置に出力する入力インターフェースと、
前記復号化装置から出力された前記パケットのＩＤに応答して、前記パケットのＩＤに相応する第１秘密キーを前記復号化装置へ伝送する秘密キー処理装置と、
前記復号化装置から出力される復号化されたパケットを受信し、受信された復号化されたパケットのＩＤを検出し、録画信号に応答して、前記検出されたパケットのＩＤに相応する復号化されたパケットを出力する書き込みインターフェースと、
前記書き込みインターフェースから出力される復号化されたパケットを受信し、受信されたパケットのＩＤに相応する第２秘密キーを前記秘密キー処理装置から受信し、前記第２秘密キーに基づいて前記受信された復号化されたパケットを暗号化し、暗号化されたパケットを前記書き込みインターフェースへ伝送する暗号化装置と、
前記書き込みインターフェースを介して入力される前記暗号化されたパケットを受信して保存する保存装置と、を備え、
前記復号化装置は、前記第１秘密キーに基づいて、前記入力インターフェースを介して入力された前記パケットを復号化し、前記復号化されたパケットを出力することを特徴とする制限受信機能と複製防止機能とを備える装置。
【請求項１６】
デジタルＴＶ信号を制限受信する装置において、
複数個の復号化装置と、
複数個の秘密キーを備え、前記複数個の復号化装置のうちイネーブルされたいずれか一つの復号化装置から出力される秘密キー要求信号に応答して、前記複数個の秘密キーのうち対応する秘密キーを前記イネーブルされた一つの復号化装置へ伝送する秘密キー処理装置と、を備え、
前記複数個の復号化装置のそれぞれは、対応するデジタルＴＶ伝送標準によって伝送されたパケットを復号化し、
前記イネーブルされた一つの復号化装置は、受信された秘密キーを利用して、前記対応するデジタルＴＶ伝送標準によって伝送されたパケットを復号化することを特徴とするデジタルＴＶ信号を制限受信する装置。
【請求項１７】
前記デジタルＴＶ信号を制限受信する装置は、
前記対応するデジタルＴＶ伝送標準によって伝送されたパケットを受信し、受信されたパケットのＩＤに基づいて、前記複数個の復号化装置のうちいずれか一つの復号化装置をイネーブルさせるためのイネーブル信号を発生させて出力する入力インターフェースをさらに備えることを特徴とする請求項１６に記載のデジタルＴＶ信号を制限受信する装置。
【請求項１８】
前記入力インターフェースは、前記対応するデジタルＴＶ伝送標準によって伝送されたパケットを所定の単位で保存するためのバッファをさらに備えることを特徴とする請求項１７に記載のデジタルＴＶ信号を制限受信する装置。
【請求項１９】
前記秘密キー処理装置は、
前記複数個の秘密キーを保存するメモリと、
前記秘密キー要求信号に応答してインデックスを発生させるインデックス発生回路と、
前記インデックスを受信し、前記インデックスに基づいて前記メモリから検索された前記秘密キーを、前記イネーブルされた復号化装置へ伝送するインターフェースと、を備えることを特徴とする請求項１６に記載のデジタルＴＶ信号を制限受信する装置。
【請求項２０】
制限受信機能と複製防止機能とを備える装置において、
複数個の復号化装置と、
複数個の秘密キーを備え、前記複数個の復号化装置のうちイネーブルされたいずれか一つの復号化装置から出力される第１秘密キー要求信号に応答して、前記複数個の秘密キーのうち対応する第１秘密キーを前記イネーブルされた一つの復号化装置へ伝送する秘密キー処理装置と、
録画命令に基づいて前記イネーブルされた一つの復号化装置から出力されたパケットを、前記秘密キー処理装置から伝送された第２秘密キーを使用して暗号化する暗号化装置と、
前記暗号化装置によって暗号化されたパケットを保存する保存装置と、を備え、
前記秘密キー処理装置は、前記暗号化装置から出力される第２秘密キー要求信号に応答して、前記第２秘密キーを前記暗号化装置へ伝送することを特徴とする制限受信機能と複製防止機能とを備える装置。
【請求項２１】
前記複数個の復号化装置のそれぞれは、対応するデジタルＴＶ伝送標準によって伝送されたパケットを復号化し、
前記イネーブルされた一つの復号化装置は、前記第１秘密キーを利用して前記対応するデジタルＴＶ伝送標準によって伝送されたパケットを復号化することを特徴とする請求項２０に記載の制限受信機能と複製防止機能とを備える装置。
【請求項２２】
前記複数個の復号化装置のうちいずれか一つの復号化装置は、前記暗号化装置によって暗号化されたパケットを復号化するための装置であることを特徴とする請求項２０に記載の制限受信機能と複製防止機能とを備える装置。
【請求項２３】
前記制限受信機能と複製防止機能とを備える装置は、
対応するデジタルＴＶ伝送標準によって伝送されたパケットを受信し、前記パケットのＩＤに基づいて、前記複数個の復号化装置のうちいずれか一つの復号化装置をイネーブルさせるためのイネーブル信号を発生させて出力する入力インターフェースをさらに備えることを特徴とする請求項２０に記載の制限受信機能と複製防止機能とを備える装置。
【請求項２４】
前記入力インターフェースは、前記対応するデジタルＴＶ伝送標準によって伝送されたパケットを所定の単位で保存するためのバッファをさらに備えることを特徴とする請求項２３に記載の制限受信機能と複製防止機能とを備える装置。
【請求項２５】
制限受信機能と複製防止機能とを備える装置において、
第１復号化装置と、
第２復号化装置と、
第１秘密キーと第２秘密キーとを保存する秘密キー処理装置と、
録画命令に基づいて前記第２復号化装置から復号化されずに、バイパスされたパケットを前記第１秘密キーに基づいて暗号化する暗号化装置と、
前記暗号化装置によって暗号化されたパケットと前記第１秘密キーとを保存する保存装置と、
前記暗号化装置から出力される暗号化されたパケットを受信し、受信された暗号化されたパケットのＩＤを前記第１復号化装置に出力する入力インターフェースと、を備え、
前記第１復号化装置は、前記入力インターフェースから出力された前記パケットのＩＤに相応する前記第１秘密キーに基づいて、前記入力インターフェースを介して入力されるパケットを復号化し、
前記第２復号化装置は、前記第１復号化装置から出力された復号化されたパケットに応答して、前記秘密キー処理装置から出力された前記第２秘密キーに基づいて再び復号化し、復号化されたパケットを出力することを特徴とする制限受信機能と複製防止機能とを備える装置。
【請求項２６】
複数個の復号化装置を備える制限受信装置を介してデジタルＴＶ信号を制限受信する方法において、
デジタルＴＶ伝送標準によって伝送されたパケットを受信し、前記受信されたパケットのＩＤに基づいて、前記複数個の復号化装置のうち第１復号化装置をイネーブルさせるためのイネーブル信号を発生させる段階と、
前記イネーブル信号に応答してイネーブルされた第１復号化装置が、前記パケットのＩＤに相応する秘密キーを受信する段階と、
前記第１復号化装置が、前記秘密キーを利用して前記デジタルＴＶ伝送標準によって伝送されたパケットを復号化し、復号化されたパケットを出力する段階と、を備えることを特徴とするデジタルＴＶ信号を制限受信する方法。
【請求項２７】
前記複数個の復号化装置のそれぞれは、相異なるデジタルＴＶ伝送標準によって伝送されたパケットを復号化することを特徴とする請求項２６に記載のデジタルＴＶ信号を制限受信する方法。
【請求項２８】
複数個の復号化装置と一つの暗号化装置とを備える装置を介して、デジタルＴＶ信号の制限受信と複製とを防止する方法において、
デジタルＴＶ伝送標準によって伝送されたパケットを受信し、前記受信されたパケットのＩＤに基づいて、前記複数個の復号化装置のうち第１復号化装置をイネーブルさせるためのイネーブル信号を発生させる段階と、
前記イネーブル信号に応答してイネーブルされた第１復号化装置が、前記受信されたパケットのＩＤに相応する第１秘密キーを受信する段階と、
前記第１復号化装置が、前記第１秘密キーを利用して前記デジタルＴＶ伝送標準によって伝送されたパケットを復号化し、復号化されたパケットを出力する段階と、
前記暗号化装置が、前記復号化されたパケットのＩＤに相応する第２秘密キーを受信し、前記第２秘密キーに基づいて前記復号化されたパケットを暗号化する段階と、を備えることを特徴とするデジタルＴＶ信号の制限受信と複製を防止する方法。
【請求項２９】
前記デジタルＴＶ信号の制限受信と複製を防止する方法は、前記複数個の復号化装置のうち第２復号化装置が、前記暗号化装置によって暗号化されたパケットを復号化する段階をさらに備えることを特徴とする請求項２８に記載のデジタルＴＶ信号の制限受信と複製を防止する方法。
【請求項３０】
第１復号化装置と、第２復号化装置と、第１秘密キーと第２秘密キーとを保存する秘密キー処理装置と、を備える装置を介して放送データを制限的に受信して複製を防止する方法において、
暗号化装置が録画命令に基づいて前記第２復号化装置から復号化されずに、バイパスされたパケットを前記第１秘密キーに基づいて暗号化する段階と、
前記暗号化装置によって暗号化されたパケットと前記第１秘密キーとを保存装置に保存する段階と、
前記暗号化装置から出力される暗号化されたパケットを受信し、受信された暗号化されたパケットのＩＤを前記第１復号化装置に出力する段階と、を備え、
前記第１復号化装置は、前記入力インターフェースから出力された前記パケットのＩＤに相応する前記第１秘密キーに基づいて、前記入力インターフェースを介して入力されるパケットを復号化し、
前記第２復号化装置は、前記第１復号化装置から出力された復号化されたパケットに応答して、前記秘密キー処理装置から出力された前記第２秘密キーに基づいて再び復号化し、復号化されたパケットを出力することを特徴とする放送データを制限的に受信して複製を防止する方法。
【発明の詳細な説明】
【技術分野】
【０００１】
本発明は、放送データの受信装置及び方法に係り、特に暗号化放送信号の承認されていない受信及び／または複製を防止する装置及び方法に関する。
【背景技術】
【０００２】
デジタル時代の到来と共に、大部分の家電機器及び家電装置がデジタル化されている。また、ＴＶも、デジタルＴＶが間もなく大衆化されるであろう。
したがって、放送のコンテンツがデジタル化されるにつれて、放送コンテンツの保護も大きい問題となっている。デジタルＴＶにおいて、デジタル放送コンテンツを保護するために、複製防止装置及び／または承認されたユーザのみが、デジタル放送コンテンツを視聴できるようにする制限受信装置が必須的に必要となった。
【０００３】
したがって、放送社は、デジタル放送コンテンツを承認された視聴者のみが視聴できるように、秘密キーで暗号化してデジタル放送コンテンツをデジタルＴＶへ伝送する。したがって、デジタルＴＶは、秘密キーを利用して伝送されたデジタル放送コンテンツを復号化するので、視聴者は復号化されたデジタル放送コンテンツを視聴できる。
このような一連の過程は、デジタルＴＶ内の制限受信装置を介して行われる。したがって、制限受信装置は、デジタルＴＶ内で必須的な装置である。
【０００４】
また、デジタルＴＶは、不法な複製を防止するための複製防止装置を備える。複製防止装置は、受信されたデジタル放送コンテンツを所定の保存装置に保存する時、デジタルＴＶ内の秘密キーで放送コンテンツを暗号化して保存し、保存装置に保存された放送コンテンツを再び視聴（または再生）する時、秘密キーを利用して保存装置に保存された放送コンテンツを復号化する。
【０００５】
しかし、既存のデジタルＴＶに使われる制限受信装置は、制限されたチャンネルのデジタル放送コンテンツを受信し、それを復号化した。そして、受信されたデジタル放送コンテンツを保存する場合、デジタル放送コンテンツを暗号化する過程なしにそのまま保存した。したがって、従来のデジタルＴＶでは、不法複製の可能性が高かった。
【発明の開示】
【発明が解決しようとする課題】
【０００６】
本発明が解決しようとする課題は、暗号化方式に関係なく多様なデジタル放送コンテンツを受信して復号化でき、不法複製を防止できる装置及び方法を提供することにある。
【課題を解決するための手段】
【０００７】
前記課題を解決するための制限受信機能と複製防止機能とを備える装置は、それぞれは相異なる復号化方法を行う複数個の復号化装置と、デジタルＴＶ伝送標準によって伝送されたパケットを受信し、前記受信されたパケットのＩＤに基づいてイネーブル信号を発生させ、前記パケットのＩＤと前記イネーブル信号とを前記複数個の復号化装置のうち対応する復号化装置に出力する入力インターフェースと、前記イネーブル信号に応答してイネーブルされた復号化装置から出力された前記パケットのＩＤに応答して、前記パケットのＩＤに相応する秘密キーを前記イネーブルされた復号化装置へ伝送する秘密キー処理装置と、を備え、前記イネーブルされた復号化装置は、前記秘密キーに基づいて前記入力インターフェースを介して入力された前記パケットを復号化し、復号化されたパケットを出力する。
【０００８】
前記秘密キー処理装置は、複数個の秘密キーを保存するメモリと、前記受信されたパケットのＩＤに基づいてインデックスを発生させるインデックス発生回路と、前記インデックスを受信し、前記インデックスに基づいて前記メモリから検索された前記秘密キーを前記イネーブルされた復号化装置へ伝送するインターフェースと、を備える。
前記入力インターフェースは、前記デジタルＴＶ伝送標準によって伝送されたパケットを所定の単位で保存するためのバッファをさらに備える。
【０００９】
前記制限受信機能と複製防止機能とを備える装置は、前記復号化されたパケットを受信し、前記復号化されたパケットのＩＤを検出し、録画信号に応答して前記検出されたパケットのＩＤに相応する復号化されたパケットを伝送する書き込みインターフェースと、前記書き込みインターフェースから出力される復号化されたパケットを受信し、受信されたパケットのＩＤに相応する秘密キーを前記秘密キー処理装置から受信し、前記秘密キーに基づいて前記受信された復号化されたパケットを暗号化し、暗号化されたパケットを前記書き込みインターフェースへ伝送する暗号化装置と、前記書き込みインターフェースを介して入力される前記暗号化されたパケットを受信して保存する保存装置と、をさらに備える。
【００１０】
前記複数個の復号化装置は、ＤＥＳ（Ｄａｔａ Ｅｎｃｒｙｐｔｉｏｎ Ｓｔａｎｄａｒｄ）による復号化装置、ＴＤＥＳ（Ｔｒｉｐｌｅ Ｄａｔａ Ｅｎｃｒｙｐｔｉｏｎ Ｓｔａｎｄａｒｄ）による復号化装置、ＣＳＡ（Ｃｏｍｍｏｎ ＳｃｒａｍｂｌｅＡｌｇｏｒｉｔｈｍ）による復号化装置、及びＡＥＳ（Ａｄｖａｎｃｅｄ Ｅｎｃｒｙｐｔｉｏｎ Ｓｔａｎｄａｒｄ）による復号化装置のうち少なくとも一つの復号化装置を含む。
【００１１】
前記複数個の復号化装置のうちいずれか一つの復号化装置は、前記暗号化装置によって暗号化されたパケットを復号化するための装置である。前記暗号化装置は、前記イネーブルされた復号化装置によって復号化されたパケットをＤＥＳ、ＴＤＥＳ、ＣＳＡ、ＡＥＳによって暗号化するための装置である。
【００１２】
前記暗号化装置は、前記複数個の復号化装置のうちいずれか一つの復号化装置によって復号化されずに、バイパスされたパケットを受信して暗号化するための装置である。前記暗号化装置は、前記バイパスされたパケットのＩＤに相応する秘密キーを前記秘密キー処理装置から受信し、受信された秘密キーに基づいて前記バイパスされたパケットを受信して暗号化するための装置である。
【００１３】
前記課題を解決するための制限受信機能と複製防止機能とを備える装置は、復号化装置と、デジタルＴＶ伝送標準によって伝送されたパケットを受信し、前記受信されたパケットのＩＤを前記復号化装置に出力する入力インターフェースと、前記復号化装置から出力された前記パケットのＩＤに応答して、前記パケットのＩＤに相応する第１秘密キーを前記復号化装置へ伝送する秘密キー処理装置と、前記復号化装置から出力される復号化されたパケットを受信し、受信された復号化されたパケットのＩＤを検出し、録画信号に応答して、前記検出されたパケットのＩＤに相応する復号化されたパケットを出力する書き込みインターフェースと、前記書き込みインターフェースから出力される復号化されたパケットを受信し、受信されたパケットのＩＤに相応する第２秘密キーを前記秘密キー処理装置から受信し、前記第２秘密キーに基づいて前記受信された復号化されたパケットを暗号化し、暗号化されたパケットを前記書き込みインターフェースへ伝送する暗号化装置と、前記書き込みインターフェースを介して入力される前記暗号化されたパケットを受信して保存する保存装置と、を備え、前記復号化装置は、前記第１秘密キーに基づいて、前記入力インターフェースを介して入力された前記パケットを復号化し、前記復号化されたパケットを出力する。
【００１４】
前記課題を解決するためのデジタルＴＶ信号を制限受信する装置は、複数個の復号化装置と、複数個の秘密キーを備え、前記複数個の復号化装置のうちイネーブルされたいずれか一つの復号化装置から出力される秘密キー要求信号に応答して、前記複数個の秘密キーのうち対応する秘密キーを前記イネーブルされた一つの復号化装置へ伝送する秘密キー処理装置と、を備え、前記複数個の復号化装置のそれぞれは、対応するデジタルＴＶ伝送標準によって伝送されたパケットを復号化し、前記イネーブルされた一つの復号化装置は、受信された秘密キーを利用して、前記対応するデジタルＴＶ伝送標準によって伝送されたパケットを復号化する。
【００１５】
前記課題を解決するための制限受信機能と複製防止機能とを備える装置は、複数個の復号化装置と、複数個の秘密キーを備え、前記複数個の復号化装置のうちイネーブルされたいずれか一つの復号化装置から出力される第１秘密キー要求信号に応答して、前記複数個の秘密キーのうち対応する第１秘密キーを前記イネーブルされた一つの復号化装置へ伝送する秘密キー処理装置と、録画命令に基づいて前記イネーブルされた一つの復号化装置から出力されたパケットを、前記秘密キー処理装置から伝送された第２秘密キーを使用して暗号化する暗号化装置と、前記暗号化装置によって暗号化されたパケットを保存する保存装置と、を備え、前記秘密キー処理装置は、前記暗号化装置から出力される第２秘密キー要求信号に応答して、前記第２秘密キーを前記暗号化装置へ伝送する。
【００１６】
前記課題を解決するための制限受信機能と複製防止機能とを備える装置は、第１復号化装置と、第２復号化装置と、第１秘密キーと第２秘密キーとを保存する秘密キー処理装置と、録画命令に基づいて前記第２復号化装置から復号化されずに、バイパスされたパケットを前記第１秘密キーに基づいて暗号化する暗号化装置と、前記暗号化装置によって暗号化されたパケットと前記第１秘密キーとを保存する保存装置と、前記暗号化装置から出力される暗号化されたパケットを受信し、受信された暗号化されたパケットのＩＤを前記第１復号化装置に出力する入力インターフェースと、を備え、前記第１復号化装置は、前記入力インターフェースから出力された前記パケットのＩＤに相応する前記第１秘密キーに基づいて、前記入力インターフェースを介して入力されるパケットを復号化し、前記第２復号化装置は、前記第１復号化装置から出力された復号化されたパケットに応答して、前記秘密キー処理装置から出力された前記第２秘密キーに基づいて再び復号化し、復号化されたパケットを出力する。
【００１７】
前記課題を解決するための複数個の復号化装置を備える制限受信装置を介してデジタルＴＶ信号を制限受信する方法は、デジタルＴＶ伝送標準によって伝送されたパケットを受信し、前記受信されたパケットのＩＤに基づいて、前記複数個の復号化装置のうち第１復号化装置をイネーブルさせるためのイネーブル信号を発生させる段階と、前記イネーブル信号に応答してイネーブルされた第１復号化装置が、前記パケットのＩＤに相応する秘密キーを受信する段階と、前記第１復号化装置が、前記秘密キーを利用して前記デジタルＴＶ伝送標準によって伝送されたパケットを復号化し、復号化されたパケットを出力する段階と、を備える。
【００１８】
前記課題を解決するための複数個の復号化装置と一つの暗号化装置とを備える装置を介して、デジタルＴＶ信号の制限受信と複製とを防止する方法は、デジタルＴＶ伝送標準によって伝送されたパケットを受信し、前記受信されたパケットのＩＤに基づいて、前記複数個の復号化装置のうち第１復号化装置をイネーブルさせるためのイネーブル信号を発生させる段階と、前記イネーブル信号に応答してイネーブルされた第１復号化装置が、前記受信されたパケットのＩＤに相応する第１秘密キーを受信する段階と、前記第１復号化装置が、前記第１秘密キーを利用して前記デジタルＴＶ伝送標準によって伝送されたパケットを復号化し、復号化されたパケットを出力する段階と、前記暗号化装置が、前記復号化されたパケットのＩＤに相応する第２秘密キーを受信し、前記第２秘密キーに基づいて前記復号化されたパケットを暗号化する段階と、を備える。
【００１９】
前記課題を解決するための第１復号化装置と、第２復号化装置と、第１秘密キーと第２秘密キーとを保存する秘密キー処理装置と、を備える装置を介して放送データを制限的に受信して複製を防止する方法は、暗号化装置が録画命令に基づいて前記第２復号化装置から復号化されずに、バイパスされたパケットを前記第１秘密キーに基づいて暗号化する段階と、前記暗号化装置によって暗号化されたパケットと前記第１秘密キーとを保存装置に保存する段階と、前記暗号化装置から出力される暗号化されたパケットを受信し、受信された暗号化されたパケットのＩＤを前記第１復号化装置に出力する段階と、を備え、前記第１復号化装置は、前記入力インターフェースから出力された前記パケットのＩＤに相応する前記第１秘密キーに基づいて、前記入力インターフェースを介して入力されるパケットを復号化し、前記第２復号化装置は、前記第１復号化装置から出力された復号化されたパケットに応答して、前記秘密キー処理装置から出力された前記第２秘密キーに基づいて再び復号化し、復号化されたパケットを出力する。
【発明の効果】
【００２０】
本発明による制限受信機能と複製防止機能とを備える装置及び方法は、いかなるデジタルＴＶ伝送標準によって暗号化されたデジタル放送コンテンツでもリアルタイムで復号化できる。したがって、本発明による装置は、相異なるデジタルＴＶ放送（例えば、ＡＴＳＣ方式とＤＶＢ方式）に関係なく使用できる汎用性がある。
また、本発明による装置は、受信されたデジタル放送コンテンツを内部から生成された秘密キーを介して暗号化して保存できるので、不法複製を防止できる。
【発明を実施するための最良の形態】
【００２１】
本発明と、本発明の動作上の利点及び本発明の実施によって達成される目的を十分に理解するためには、本発明の望ましい実施例を例示する添付図面及び添付図面に記載された内容を参照しなければならない。
以下、添付された図面を参照して本発明の望ましい実施例を説明することにより、本発明を詳細に説明する。各図面に付された同一参照符号は同一部材を示す。
【００２２】
図１は、本発明の実施例による制限受信機能と複製防止機能とを備える装置のブロック図を示す。
図１を参照すると、本発明による装置１００は、デジタルＴＶに使用でき、一つのチップ、例えばＳＯＣ（Ｓｙｓｔｅｍ Ｏｎ Ｃｈｉｐ）で実現できる。装置１００は、入力インターフェース１１０、復号化ブロック１２０、暗号化装置１２９、インデックス発生回路１３０、コードワードテーブルインターフェース１４０、コードワードテーブル１５０、出力インターフェース１６０、ＰＶＲ（Ｐｅｒｓｏｎａｌ Ｖｉｄｅｏ Ｒｅｃｏｒｄｅｒ）書き込みインターフェース１７０及び保存装置１８０を備える。
【００２３】
入力インターフェース１１０は、放送社からデジタルＴＶ伝送標準によって伝送された放送データＢＤを受信して保存する。放送データＢＤは、ＤＥＳ、ＴＤＥＳ、ＤＶＢ−ＣＳＡ、またはＡＥＳによって暗号化されたデータパケットである。
【００２４】
また、保存装置１８０に保存された放送データを再生する場合、入力インターフェース１１０は、保存装置１８０から出力された暗号化されたパケットを受信して保存する。
入力インターフェース１１０の入力バッファ１１１にＭＰＥＧ（Ｍｏｖｉｎｇ Ｐｉｃｔｕｒｅ Ｅｘｐｅｒｔｓ Ｇｒｏｕｐ）ストリームの一つのパケット（例えば、１８８ ｂｙｔｅｓ）、またはＤＳＳ（Ｄｉｇｉｔａｌ Ｓｉｇｎａｔｕｒｅ Ｓｔａｎｄａｒｄ）ストリームの一つのパケット（１３０ ｂｙｔｅｓ）が保存される場合、入力インターフェース１１０は、バッファに保存されたパケットから保存されたパケットのＩＤを検出し、検出されたＩＤ ＰＩＤに基づいてイネーブル信号ＥＮＢを発生させ、ＩＤ ＰＩＤとイネーブル信号ＥＮＢとを復号化ブロック１２０に出力する。
【００２５】
したがって、イネーブル信号ＥＮＢは、複数個のデスクランブラ１２２、１２４、１２６、１２８のうち一つのデスクランブラのみを選択するための信号であると同時に、選択された一つのデスクランブラをイネーブルさせるための信号としても使われる。
復号化ブロック１２０は、ＤＥＳデスクランブラ１２２、ＴＤＥＳデスクランブラ１２４、ＣＳＡデスクランブラ１２６及びＡＥＳデスクランブラ１２８を備える。
【００２６】
しかし、復号化ブロック１２０は、説明の便宜上、４個のデスクランブラ１２２ないし１２８を例として説明するが、復号化ブロック１２０は、これに限定されるものではない。
スクランブラ１２９は、ＤＥＳスクランブラ、ＴＤＥＳスクランブラ、ＣＳＡスクランブラ、ＡＥＳスクランブルのうちいずれか一つで実現できる。
各デスクランブラ１２２、１２４、１２６、１２８は復号化装置の一例であり、スクランブラ１２９は暗号化装置の一例である。したがって、本発明による装置１００は、少なくとも一つの復号化装置と少なくとも一つの暗号化装置とを同時に備える。
【００２７】
ＤＥＳデスクランブラ１２２は、ＤＥＳで暗号化された（例えば、ＤｉｒｅｃＴＶ）放送コンテンツを復号化するためのものであり、ＴＤＥＳデスクランブラ１２４は、ＴＤＥＳで暗号化されたＡＴＳＣ放送コンテンツを復号化するためのものであり、ＣＳＡデスクランブラ１２６は、ＣＳＡで暗号化された放送コンテンツを復号化するためのものであり、ＡＥＳデスクランブラ１２８は、ＡＥＳ暗号化された放送コンテンツを復号化するためのものである。
【００２８】
スクランブラ１２９は、受信された放送コンテンツを保存装置１８０に保存しようとする場合、放送コンテンツをスクランブリングする方法、即ちＤＥＳ、ＴＤＥＳ、ＣＳＡまたはＡＥＳによって暗号化する。
既存のデジタルＴＶとは異なって、本発明による装置１００を備えるデジタルＴＶは、放送コンテンツを保存する場合、放送コンテンツを暗号化して保存するので、デジタル放送コンテンツの不法複製を防止できる。
【００２９】
即ち、本発明による装置１００で制限接近機能は、ＤＥＳデスクランブラ１２２、ＴＤＥＳデスクランブラ１２４、ＣＳＡデスクランブラ１２６、及びＡＥＳデスクランブラ１２８のうち少なくともいずれか一つによって行われ、複製防止機能はスクランブラ１２９によって行われる。
【００３０】
ＤＥＳデスクランブラ１２２、ＴＤＥＳデスクランブラ１２４、ＣＳＡデスクランブラ１２６及びＡＥＳデスクランブラ１２８のうち一つのデスクランブラのみが、イネーブル信号ＥＮＢに応答してイネーブルされる。しかし、図５に示すように、イネーブル信号ＥＮＢに応答してイネーブルされるものは一つのデスクランブラであるが、実質的に内部動作によって２つのデスクランブラがイネーブルされうる。
【００３１】
したがって、本発明による装置１００を備えるデジタルＴＶは、放送社から伝送する多様なデジタルＴＶ伝送標準に関係なくあらゆる放送データを受信して復号化できる。
イネーブル信号ＥＮＢに応答してイネーブルされたデスクランブラ１２２ないし１２８は、パケットのＩＤ ＰＩＤを受信し、受信されたパケットのＩＤ ＰＩＤをインデックス発生回路１３０へ伝送する。
【００３２】
インデックス発生回路１３０は、少なくとも一つのレジスタファイルを備え、レジスタファイルは、秘密キーインデックスと秘密キーテーブルインデックスとを有する。したがって、インデックス発生回路１３０は、パケットのＩＤ ＰＩＤに基づいて、秘密キーインデックスＫＩＮＤと秘密キーテーブルインデックスＴＩＮＤとを発生させ、それらＫＩＮＤ、ＴＩＮＤをコードワードテーブルインターフェース１４０へ伝送する。
【００３３】
コードワードテーブルインターフェース１４０は、秘密キーインデックスＫＩＮＤと秘密キーテーブルインデックスＴＩＮＤとに基づいて、秘密キーＫＥＹを要求する信号ＫＲＥＱをコードワードテーブル１５０へ伝送し、信号ＫＲＥＱに基づいてコードワードテーブル１５０から伝送される秘密キーＫＥＹを受信し、それＫＥＹをインデックス発生回路１３０へ伝送する。
【００３４】
コードワードテーブル１５０は、秘密キーを保存するメモリであって、コードワードテーブル１ １５２とコードワードテーブル２ １５４とを備える。コードワードテーブル１ １５２は、ＣＰＵ（Ｃｅｎｔｒａｌ Ｐｒｏｃｅｓｓｉｎｇ Ｕｎｉｔ）によって設定された秘密キーを保存するメモリであり、コードワードテーブル２ １５４は、前記ＣＰＵではない乱数発生器（図示せず）または放送社で提供するスマートカード等によって発生した秘密キーを保存するメモリである。
【００３５】
ここで、秘密キー処理装置は、インデックス発生回路１３０、コードワードテーブルインターフェース１４０、コードワードテーブル１５０として実現できる。したがって、秘密キー処理装置は、複数個の秘密キーを備え、複数個の復号化装置１２２ないし１２８のうちイネーブルされた復号化装置から出力されるパケットのＩＤ ＰＩＤに基づいた秘密キー要求信号ＫＲＥＱに応答して、選択された複数個の秘密キーのうち対応する秘密キーＫＥＹをイネーブルされた復号化装置へ伝送する。
【００３６】
イネーブル信号ＥＮＢに応答してイネーブルされた一つのデスクランブラ１２２ないし１２８は、インデックス発生回路１３０から伝送された秘密キーＫＥＹを受信し、受信された秘密キーＫＥＹをデスクランブラ１２２ないし１２８内にある所定の保存装置に保存する。秘密キーＫＥＹは、イネーブルされたデスクランブラが復号化しようとする一つのパケットＥＤＰを受信する前に、所定の保存装置に保存するのが望ましい。
【００３７】
したがって、イネーブルされた一つのデスクランブラ１２２ないし１２８は、秘密キーを利用して暗号化された一つのパケットＥＤＰを所定の単位で復号化し、復号化されたパケットＤＤＰを出力インターフェース１６０とＰＶＲ書き込みインターフェース１７０へ伝送する。
【００３８】
即ち、各デスクランブラ１２２ないし１２８は、各復号化過程で必要な基本処理単位のデータを保存するための入力ＦＩＦＯ（Ｆｉｒｓｔ−Ｉｎｐｕｔ−Ｆｉｒｓｔ−Ｏｕｔｐｕｔ）（図示せず）を備える。したがって、各デスクランブラ１２２ないし１２８は、入力ＦＩＦＯに基本処理単位のデータが保存されれば復号化を行い、復号化された基本処理単位のデータを出力ＦＩＦＯ（図示せず）に保存し、復号化されたパケットＤＤＰを出力インターフェース１６０とＰＶＲ書き込みインターフェース１７０へ伝送する。
【００３９】
例えば、ＤＥＳデスクランブラ１２２とＴＤＥＳデスクランブラ１２４のそれぞれは、６４ビット単位で復号化し、ＣＳＡデスクランブラ１２６は、８ビット単位で復号化し、ＡＥＳデスクランブラ１２８は、１２８ビット単位で復号化できる。また、スクランブラ１２９は、ＤＥＳ、ＴＤＥＳ、ＣＳＡまたはＡＥＳで実現できるので、スクランブラ１２９は、実現される方法によって処理される暗号化単位が決定される。
【００４０】
出力インターフェース１６０は、復号化ブロック１２０を介して復号化されたパケットＤＤＰを受信して保存し、保存されたパケットをデマルチプレクシングプロセッサへ伝送する。
ＰＶＲ書き込みインターフェース１７０は、復号化ブロック１２０から出力されるパケットＤＤＰのＩＤをモニタリングしている途中に、録画命令ＲＥＣに応答して録画されるＩＤを有する復号化されたパケットＤＤＰをスクランブラ１２９へ伝送する。
【００４１】
スクランブラ１２９は、上述した復号化過程のように、受信されたパケットＤＤＰのＩＤに基づいて、秘密キーをコードワードテーブル１５０から取ってきて秘密キーをスクランブラ１２９内の所定の保存装置に保存（または設定）する。
秘密キーを保存する動作は、スクランブラ１２９の処理単位のデータを受信する前に完了するのが望ましい。上述したように、スクランブラ１２９は、実現される方法によってスクランブラ１２９が処理できる暗号化単位が決定される。
【００４２】
例えば、スクランブラ１２９がＡＥＳスクランブラ１２９で実現される場合、スクランブラ１２９は、１２８ビット単位で受信されたパケットＤＤＰを暗号化する。したがって、スクランブラ１２９は、コードワードテーブル１５０から取ってきた秘密キーを利用して、復号化ブロック１２０によって復号化されたパケットＤＤＰを再び暗号化し、暗号化されたパケットＥＤＰＧをＰＶＲ書き込みインターフェース１７０を介して保存装置１８０に保存する。
保存装置１８０は、ＨＤＤで実現できるが、保存装置１８０がＨＤＤに限定されるものではない。
【００４３】
図２は、受信された放送データを復号化する過程を説明するためのブロック図である。図１及び図２を参照して、受信された放送データを復号化する過程を詳細に説明する。
【００４４】
デジタルＴＶ伝送標準によって放送社から伝送された放送データＢＤが、ＤＥＳ、ＴＤＥＳ、ＤＶＢ−ＣＳＡ、ＡＥＳのうちいずれか一つの方法によって暗号化されたパケットである場合、入力インターフェース１１０は、前記方法によって伝送された暗号化されたパケットを受信し、入力バッファ１１１に保存し、パケットのＩＤ ＰＩＤと、パケットのＩＤに基づいて発生したイネーブル信号ＥＮＢとを復号化ブロック１２０へ伝送する。入力インターフェース１１０は、パケットのＩＤ ＰＩＤに基づいて、暗号化されたパケットがいかなるデジタルＴＶ伝送標準によって生成されたかを検出できる。
【００４５】
したがって、デスクランブラ１２２ないし１２８のうちいずれか一つのデスクランブラのみが、イネーブル信号ＥＮＢに応答してイネーブルされる。
イネーブルされた一つのデスクランブラ１２２、１２４、１２６、１２８は、パケットのＩＤ ＰＩＤを受信し、受信されたパケットのＩＤ ＰＩＤをインデックス発生回路１３０へ伝送した後、インデックス発生回路１３０とコードワードテーブルインターフェース１４０の相互動作によって、コードワードテーブル１５０から検索された秘密キーＫＥＹを受信して保存する。
【００４６】
イネーブルされた一つのデスクランブラ１２２、１２４、１２６、１２８は、秘密キーＫＥＹを使用して、入力インターフェース１１０を介して入力される暗号化されたパケットＥＤＰを復号化し、復号化されたパケットＤＤＰを出力インターフェース１６０へ伝送する。そして、放送データ再生過程を通じて、視聴者はデジタルＴＶのコンテンツを視聴できる。
【００４７】
図３は、受信された放送データを保存装置に保存する過程を説明するためのブロック図である。図１及び図３を参照して、デジタルＴＶに受信された放送データＢＤが保存装置１８０に保存（または書き込み）される過程を詳細に説明する。
【００４８】
デスクランブラ１２２ないし１２８のうちイネーブルされたいずれか一つのデスクランブラは、図１と図２とを参照して説明した過程を通じて、保存された秘密キーを利用して暗号化されたパケットＥＤＰを復号化し、復号化されたパケットＤＤＰを出力インターフェース１６０とＰＶＲ書き込みインターフェース１７０へ伝送する。
【００４９】
この時、ＰＶＲ書き込みインターフェース１７０は、復号化されたパケットＤＤＰのＩＤをモニタリングしている途中で、録画命令ＲＥＣに応答して録画される復号化されたパケットＤＤＰをスクランブラ１２９へ伝送する。ＰＶＲ書き込みインターフェース１７０には、外部ＣＰＵによって設定され、録画のためのコードが既に保存されているので、ＰＶＲ書き込みインターフェース１７０は、コードに相応するＩＤを有する復号化されたパケットＤＤＰのみをスクランブラ１２９へ伝送する。
【００５０】
例えば、デジタルＴＶから受信された放送データＢＤを保存装置１８０に保存（または書き込み）する命令は、録画命令ＲＥＣによって発生する。
スクランブラ１２９は、受信されたパケットＤＤＰのＩＤに相応する秘密キーＫＥＹ２を、インデックス発生回路１３０、コードワードテーブルインターフェース１４０及びコードワードテーブル１５０の相互作用を介して受信して保存した後、秘密キーＫＥＹ２を利用して前記保存装置１８０に保存するパケットＤＤＰを暗号化し、暗号化されたパケットＥＤＰＧをＰＶＲ書き込みインターフェース１７０へ伝送する。
【００５１】
ＰＶＲ書き込みインターフェース１７０は、暗号化されたパケットＥＤＰＧを受信して保存装置１８０へ伝送する。秘密キーＫＥＹ２は、保存装置１８０に保存された後、コードワードテーブル２ １５４に保存される。したがって、デジタルＴＶに受信された放送データＢＤは、図１ないし図３を参照して説明された復号化動作と暗号化動作とを介して保存装置１８０に保存される。この場合、デスクランブラ１２２ないし１２８のうちただ一つのデスクランブラとスクランブラ１２９のみが同時に駆動される。
【００５２】
図４は、保存装置に保存された放送データを復号化する過程を説明するためのブロック図である。図３と４とを参照して、保存装置１８０に保存された放送データを復号化する過程が詳細に説明される。
保存装置１８０には、図３を参照して説明したように、暗号化されたパケットＥＤＰＧが保存される。したがって、保存装置１８０には、ＡＥＳスクランブリング、ＤＥＳスクランブリング、ＴＤＥＳスクランブリングのうち少なくとも一つのスクランブリングを介して暗号化されたパケットが保存される。
【００５３】
入力インターフェース１１０は、保存装置１８０から出力された暗号化された放送データのパケットを受信して保存し、受信されたパケットのＩＤ ＰＩＤ、及びパケットのＩＤ ＰＩＤに基づいて発生したイネーブル信号ＥＮＢを復号化ブロック１２０へ伝送する。
復号化ブロック１２０が入力インターフェース１１０から出力されるパケットを復号化する過程は、図２を参照すれば容易に理解できる。
【００５４】
例えば、保存装置１８０にＡＥＳスクランブリングを介して暗号化されたパケットが保存される場合、ＡＥＳデスクランブラ１２８は、入力インターフェース１１０から出力されたイネーブル信号ＥＮＢに応答してイネーブルされる。したがって、ＡＥＳデスクランブラ１２８は、パケットのＩＤ ＰＩＤに相応する秘密キーＫＥＹ２を、インデックス発生回路１３０とコードワードテーブルインターフェース１４０とを介してコードワードテーブル１５０から取ってきて保存した後、秘密キーＫＥＹ２を利用して保存装置１８０に保存された放送データのパケットを復号化し、復号化されたパケットＤＤＰを出力インターフェース１６０へ伝送する。この場合、ＡＥＳスクランブラ１２８のみが駆動される。
【００５５】
図５は、後で得た秘密キーを使用して保存装置に保存された放送データを復号化する過程を説明するためのブロック図である。図１及び図６を参照して、後で得た秘密キーを使用して保存装置に保存された放送データを復号化する過程を説明する。
受信された放送データが、ＤＥＳによって暗号化された放送データＢＤ＿ＤＥＳであり、コードワードテーブル１５０に前記ＤＥＳによって暗号化された放送データＢＤ＿ＤＥＳを復号化するための秘密キーがなく、スクランブラ１２９はＡＥＳスクランブラと仮定する。
【００５６】
したがって、イネーブルされたＤＥＳデスクランブラ１２２は、前記ＤＥＳによって暗号化された放送データＢＤ＿ＤＥＳを復号化できないので、ＤＥＳデスクランブラ１２２は、前記放送データＢＤ＿ＤＥＳをそのまま出力する。このような過程を、暗号化された放送データＢＤ＿ＤＥＳのバイパスとする。したがって、ＰＶＲ書き込みインターフェース１７０は、録画命令に応答してＤＥＳによって暗号化された放送データＢＤ＿ＤＥＳ、即ち受信された放送データＢＤ＿ＤＥＳのパケットをＡＥＳスクランブラ１２９へ伝送する。
【００５７】
ＡＥＳスクランブラ１２９は、パケットのＩＤに相応するコードワードテーブル１５０に保存された秘密キーＫＥＹ２を利用して、前記ＤＥＳによって暗号化された放送データＢＤ＿ＤＥＳを再びＡＥＳで暗号化し、ＡＥＳで暗号化された放送データを、ＰＶＲ書き込みインターフェース１６０を介して保存装置１８０に保存する。秘密キーＫＥＹ２は、保存装置１８０に保存される。
【００５８】
そして、前記ＤＥＳで暗号化された放送データＢＤ＿ＤＥＳを復号化するための秘密キー（以下‘後で得た秘密キー’と称する）ＫＥＹ３を得て、保存装置１８０に保存された放送データを再生する場合、入力インターフェース１１０は、保存装置１８０から出力された放送データのパケットを入力バッファ１１１に保存し、前記パケットのＩＤ ＰＩＤと、前記パケットのＩＤ ＰＩＤに基づいて発生したイネーブル信号ＥＮＢとをＡＥＳデスクランブラ１２８へ伝送する。
【００５９】
後で得た秘密キーＫＥＹ３は、放送社が放送データに載せて送るか、または別のスマートカードから得ることができる。後で得た秘密キーＫＥＹ３は、コードワードテーブル２ １５４に保存される。
イネーブルされたＡＥＳデスクランブラ１２８は、秘密キーＫＥＹ２を利用して、入力インターフェース１１０から伝送された放送データＡＥＳ＿ＤＥＳのパケットを復号化し、復号化されたパケットをＤＥＳデスクランブラ１２２へ伝送する。秘密キーＫＥＹ２は、パケットのＩＤ ＰＩＤに基づいて、インデックス発生回路１３０とコードワードテーブルインターフェース１４０とを介してコードワードテーブル１５０から取ってきた秘密キーである。
【００６０】
ＤＥＳデスクランブラ１２２は、後で得た秘密キーＫＥＹ３を使用してＡＥＳデスクランブラ１２８から出力されるパケットを復号化し、復号化されたパケットを出力インターフェース１６０に出力する。この場合、２つのデスクランブラ１２２、１２８が同時に駆動される。これは、各デスクランブラの間に直接経路があるので可能である。各秘密キーＫＥＹ２、ＫＥＹ３をコードワードテーブル１５０から取ってくる動作は、図１ないし図４を参照して説明した通りである。
【００６１】
少なくとも一つの復号化装置と、少なくとも一つの暗号化装置とを備える本発明による装置を介して、デジタルＴＶ信号の制限受信と複製防止方法が行われる。また、前記方法の各段階を行うためのプログラムは、コンピュータ可読記録媒体に保存することができる。
したがって、制限受信機能と複製防止機能とを備える装置を有するデジタルＴＶは、多様なデジタルＴＶ伝送標準によって伝送されたパケットを受信し、このパケットを復号化するための復号化装置を利用して、受信されたパケットを復号化できる利点がある。
【００６２】
本発明の実施例は、コンピュータシステムで実行できるプログラムとして作成可能である。また、このようなプログラムを記録したコンピュータ可読記録媒体から該当プログラムを読み取って、汎用デジタルコンピュータシステムで実行できる。このような記録媒体には、マグネチック保存媒体（例えば、ＲＯＭ、フロッピー（登録商標）ディスク、ハードディスク等）、光学的読み取り媒体（例えば、ＣＤ−ＲＯＭ、ＤＶＤ等）及びキャリアウエーブ（例えば、インターネットを通じた伝送）のような媒体が含まれる。
【００６３】
本発明は図面に示した一実施例に基づいて説明されたが、これは例示的なものに過ぎず、当業者であれば、これから多様な変形及び均等な他の実施例が可能であるという点を理解できるであろう。従って、本発明の真の技術的な保護範囲は、特許請求の範囲の技術的思想により決まらなければならない。
【産業上の利用可能性】
【００６４】
本発明による装置及び方法は、セットトップボックス、ＨＤＴＶ（Ｈｉｇｈ Ｄｅｆｉｎｉｔｉｏｎ Ｔｅｌｅｖｉｓｉｏｎ）、及びデジタル個人用ビデオレコーダなどデジタル放送ビデオ受信装置に利用できる。
【図面の簡単な説明】
【００６５】
【図１】本発明の実施例による制限受信機能と複製防止機能とを備える装置を示すブロック図である。
【図２】受信された放送データを復号化する過程を説明するためのブロック図である。
【図３】受信された放送データを保存装置に保存する過程を説明するためのブロック図である。
【図４】保存装置に保存された放送データを復号化する過程を説明するためのブロック図である。
【図５】後で得た秘密キーを使用して、保存装置に保存された放送データを復号化する過程を説明するためのブロック図である。
【符号の説明】
【００６６】
１００    制限受信機能と複製防止機能とを備える装置
１１０    入力インターフェース
１１１    入力バッファ
１２０    復号化ブロック
１２２    ＤＥＳデスクランブラ
１２４    ＴＤＥＳデスクランブラ
１２６    ＣＳＡデスクランブラ
１２８    ＡＥＳデスクランブラ
１２９    スクランブラ
１３０    インデックス発生回路
１４０    コードワードテーブルインターフェース
１５０    コードワードテーブル
１５２    コードワードテーブル１
１５４    コードワードテーブル２
１６０    出力インターフェース
１７０    ＰＶＲ書き込みインターフェース
１８０    保存装置
【図１】
2005244992.tif 000003
【図２】
2005244992.tif 000004
【図３】
2005244992.tif 000005
【図４】
2005244992.tif 000006
【図５】
2005244992.tif 000007